(57)【特許請求の範囲】
【請求項１】
被写体光を撮影者の目視方向へ導くファインダ観察位置と前記被写体光を撮像面に導くファインダ退避位置との間で回動自在に構成された可動ミラー部と、
前記可動ミラー部が前記ファインダ退避位置まで回動したときに、前記可動ミラー部の先端部が接触する緩衝部材と、
前記可動ミラー部に取り付けられ、当該可動ミラー部をファインダ観察位置から前記ファインダ退避位置に回動させるミラー駆動ピンと、
前記ミラー駆動ピンと当接するアーム部を有し、当該アーム部が前記ミラー駆動ピンを押し上げることにより、前記可動ミラー部を前記ファインダ観察位置から前記ファインダ退避位置まで回動させるミラーアップレバーと、
を備え、
前記ミラー駆動ピンは、前記ミラーアップレバーの前記アーム部と当接する位置が変更可能に構成され、前記ミラー駆動ピンと前記ミラーアップレバーの前記アーム部とが当接する位置に応じて、前記可動ミラー部の先端部と前記緩衝部材との接触量が変化することを特徴とする可動ミラーの保持機構。
【請求項２】
請求項１に記載の可動ミラーの保持機構であって、
前記ミラー駆動ピンは、前記ミラーアップレバーの前記アーム部と当接するピン本体部と、前記ピン本体部に対して偏芯して設けられたピン固定部とを備え、前記ピン固定部が前記可動ミラー部に回動自在に取り付けられていることを特徴とする可動ミラーの保持機構。
【請求項３】
請求項１に記載の可動ミラーの保持機構であって、
前記可動ミラー部に取り付けられた前記ミラー駆動ピンは、外径の異なる複数のミラー駆動ピンの中から選択された一つであることを特徴とする可動ミラーの保持機構。
【発明の詳細な説明】
【技術分野】
【０００１】
本発明は、可動ミラーの保持機構に関するものである。
【背景技術】
【０００２】
一眼レフカメラは、撮影レンズと撮像面との間に可動ミラーを配置し、撮影前のファインダ観察位置（以下、ミラーダウン位置）では、撮影レンズを通過した被写体光を可動ミラーにより上方に折り曲げてファインダスクリーンに結像させることにより撮影者の観察を可能とし、撮影時のファインダ退避位置（以下、ミラーアップ位置）では、可動ミラーを上方に跳ね上げて、前記被写体光を撮像面に結像させるように構成されている。
【０００３】
一般に、一眼レフカメラでは、撮影時に可動ミラーがミラーダウン位置からミラーアップ位置へ急激に回動するため、大きな作動音が発生する。そこで、この問題を解決するために種々の緩衝方向や装置が提案されている。例えば、可動ミラーの先端部に生じる衝撃をモルトプレーンなどの緩衝部材により緩和するものが知られている。また、可動ミラーの上下動に際してエアダンパにより制動をかけるようにした緩衝装置が提案されている（例えば、特許文献１参照）。
【先行技術文献】
【特許文献】
【０００４】
【特許文献１】特公昭５８−５３３２３号公報
【発明の概要】
【発明が解決しようとする課題】
【０００５】
可動ミラーの先端部に生じる衝撃をモルトプレーンなどの緩衝部材により緩和する手法は、簡単な構成で効果を得ることができる。しかしながら、可動ミラーの退避位置は固体毎に異なるため、作動音にバラつきが生じてしまう。また、特許文献１に示す緩衝装置では、エアダンパなどの高価な専用部品が必要となるうえ、構成も複雑になる。このため、コストアップやスペースの増大を招くことが考えられる。
【０００６】
本発明の課題は、簡単な構成でありながら、可動ミラーに生じる作動音のバラつきを少なくすることができる可動ミラーの保持機構を提供することにある。
【課題を解決するための手段】
【０００７】
本発明は、以下のような解決手段により前記課題を解決する。なお、理解を容易にするために、本発明の実施形態に対応する符号を付して説明するが、これに限定されるものではない。
請求項１に記載の発明は、被写体光を撮影者の目視方向へ導くファインダ観察位置と前記被写体光を撮像面に導くファインダ退避位置との間で回動自在に構成された可動ミラー部（１１）と、前記可動ミラー部が前記ファインダ退避位置まで回動したときに、前記可動ミラー部の先端部（１１ａ）が接触する緩衝部材（１７）と、前記可動ミラー部に取り付けられ、当該可動ミラー部をファインダ観察位置から前記ファインダ退避位置に回動させるミラー駆動ピン（１４）と、前記ミラー駆動ピンと当接するアーム部（１２ｃ）を有し、当該アーム部が前記ミラー駆動ピンを押し上げることにより、前記可動ミラー部を前記ファインダ観察位置から前記ファインダ退避位置まで回動させるミラーアップレバー（１２）と、を備え、前記ミラー駆動ピンは、前記ミラーアップレバーの前記アーム部と当接する位置が変更可能に構成され、前記ミラー駆動ピンと前記ミラーアップレバーの前記アーム部とが当接する位置に応じて、前記可動ミラー部の先端部と前記緩衝部材との接触量が変化することを特徴とする可動ミラーの保持機構（１０）である。
請求項２に記載の発明は、請求項１に記載の可動ミラーの保持機構（１０）であって、前記ミラー駆動ピン（１４）は、前記ミラーアップレバー（１２）の前記アーム部（１２ｃ）と当接するピン本体部（１４ａ）と、前記ピン本体部に対して偏芯して設けられたピン固定部（１４ｂ）とを備え、前記ピン固定部が前記可動ミラー部（１１）に回動自在に取り付けられていることを特徴とする。
請求項３に記載の発明は、請求項１に記載の可動ミラーの保持機構（１０）であって、前記可動ミラー部（１１）に取り付けられた前記ミラー駆動ピンは、外径の異なる複数のミラー駆動ピンの中から選択された一つであることを特徴とする。
なお、符号を付して説明した構成は、適宜改良してもよく、また、少なくとも一部を他の構成物に代替してもよい。
【発明の効果】
【０００８】
本発明によれば、簡単な構成でありながら、可動ミラーに生じる作動音のバラつきを少なくすることができる可動ミラーの保持機構を提供することができる。
【図面の簡単な説明】
【０００９】
【図１】実施形態に係わるカメラの主要部分を示す概略断面図である。
【図２】可動ミラー保持機構のミラーダウン位置における概略構成を示す側面図である。
【図３】可動ミラー保持機構のミラーアップ位置における概略構成を示す側面図である。
【発明を実施するための形態】
【００１０】
以下、図面を参照して、本発明に係わる可動ミラーの保持機構を適用したカメラ１００の実施形態について説明する。
【００１１】
図１は、本実施形態に係わるカメラ１００の主要部分を示す概略断面図である。カメラ１００は、カメラボディ１のマウント２に、不図示の撮影レンズが着脱自在に装着されるデジタル一眼レフカメラとして構成されている。前記撮影レンズを通じてマウント２から入射した被写体光は、ミラーボックス３内に配置された可動ミラー４により上方に折り曲げられてファインダスクリーン５に導かれ、さらにペンタプリズム６、接眼レンズ７を経て観察位置に到達する。可動ミラー４の背面には、光量を調節するシャッタ８が配置され、更にその後方には、入射した被写体光を撮像する撮像素子９が配置されている。可動ミラー４は、後述する可動ミラー保持機構１０により回動自在に支持されている。
【００１２】
図２および図３は、可動ミラー保持機構１０の概略構成を示す側面図である。図２は、可動ミラー４がミラーダウン位置にあるときの側面図であり、図３は、可動ミラー４がミラーアップ位置にあるときの側面図である。以下、図２を参照しながら可動ミラー保持機構１０の構成について説明する。なお、図２及び図３では、図１に示した構造や形状を一部簡略化または省略している。
【００１３】
可動ミラー保持機構１０は、可動ミラー４を保持する可動ミラー保持枠１１と、この可動ミラー保持枠１１を回動させるミラーアップレバー１２とを備えている。可動ミラー保持枠１１の上端は可動ミラー軸１３により支持されており、この可動ミラー軸１３を中心として回動自在となるように構成されている。可動ミラー保持枠１１は、不図示のバネにより可動ミラー軸１３を中心として時計回りに付勢されている。また、可動ミラー保持枠１１の側面には、可動ミラー保持枠１１をミラーダウン位置からミラーアップ位置に回動させるためのミラー駆動ピン１４が設けられている。
【００１４】
ミラー駆動ピン１４は、ピン本体部１４ａと、このピン本体部１４ａに対して偏芯して設けられたピン固定部１４ｂとから構成されている。すなわち、ミラー駆動ピン１４は、ピン本体部１４ａとピン固定部１４ｂとが一体に形成された偏芯ピンとして構成されている。ピン固定部１４ｂは、可動ミラー保持枠１１に対して回動自在となるように、カシメにより固定されている。
【００１５】
また、図２および図３には図示していないが、ピン本体部１４ａの頭部には、図１に示すように、ドライバ溝が形成されている（符号を省略）。このドライバ溝に、例えばマイナスドライバの先端を差し込んで時計回りまたは反時計回りに回転させることにより、ミラー駆動ピン１４を回動させることができる。ミラー駆動ピン１４のカシメ強度は、ミラー駆動ピン１４を可動ミラー保持枠１１に取り付けた状態で回動自在となる程度に設定されている。このため、マイナスドライバで回動させた位置でミラー駆動ピン１４を固定させることができる。なお、ミラー駆動ピン１４を回動させたときの作用について後述する。
【００１６】
ミラーアップレバー１２は、略Ｘ字形に形成された板状部材であり、可動ミラー保持枠１１の側面（図１では手前側）に配置されている。ミラーアップレバー１２は、ミラーアップ係止アーム部１２ａと、ミラーアップバネ係止アーム部１２ｂと、ミラーアップ駆動アーム部１２ｃとを備えている。ミラーアップレバー１２は、ミラーボックス３に固定されたレバー軸１６により回動自在に支持されている。
【００１７】
ミラーアップ係止アーム部１２ａは、可動ミラー４がミラーダウン位置にあるときは、カメラボディ１の内部に設けられた不図示のミラーアップ係止レバーで係止されている。ミラーアップバネ係止アーム部１２ｂには、バネ係止軸１２ｄが設けられている。このバネ係止軸１２ｄには、ミラーアップバネ１５の一方が係合している。ミラーアップバネ１５の他方は、カメラボディ１と係合している。ミラーアップバネ１５は、矢印Ｉ方向に付勢されている。すなわち、ミラーアップレバー１２は、ミラーアップバネ１５により矢印Ｉ方向に付勢された状態で、不図示のミラーアップ係止レバーにより図２の位置に係止されている。このため、ミラーアップ係止アーム部１２ａと不図示のミラーアップ係止レバーとの係合が外れると、ミラーアップレバー１２はレバー軸１６を中心として時計回りに回動する。
【００１８】
ミラーアップ駆動アーム部１２ｃは、上述したように、ミラーアップ係止アーム部１２ａと不図示のミラーアップ係止レバーとの係合が外れて、ミラーアップレバー１２がレバー軸１６を中心として時計回りに回動したときに、ミラー駆動ピン１４を上方に押し上げる部分である。ミラー駆動ピン１４が上方に押し上げられると、可動ミラー保持枠１１は、可動ミラー軸１３を中心として反時計回りに回動し、ミラーアップ位置まで退避することになる。
【００１９】
なお、符号１７は、可動ミラー保持枠１１の先端部１１ａが当接する緩衝部材である。この緩衝部材１７は、ミラーボックス３の上部に固定されている。また、符号１８は、可動ミラー４の下部に連結されたサブミラーである。サブミラー１８は、可動ミラー４を透過した被写体光の一部を、ミラーボックス３の下部には配置された不図示のＡＦモジュールに導くためのミラーである。
【００２０】
次に、可動ミラー保持機構１０におけるミラー駆動ピン１４の作用について説明する。図２に示すミラーダウン位置において、ミラーアップレバー１２のミラーアップ係止アーム部１２ａと不図示のミラーアップ係止レバーとの係合が外れると、ミラーアップレバー１２はレバー軸１６を中心として時計回りに回動する。すると、ミラーアップレバー１２のミラーアップ駆動アーム部１２ｃの先端部がミラー駆動ピン１４と当接して、ミラー駆動ピン１４を上方に押し上げる。これにより、可動ミラー保持枠１１は可動ミラー軸１３を中心として反時計回りに回動し、図３に示すように、可動ミラー保持枠１１の先端部１１ａが緩衝部材１７に接触した状態で停止する。このとき、可動ミラー保持枠１１は、緩衝部材１７とミラーアップレバー１２との間に挟まれた状態となり、ミラー駆動ピン１４がミラーアップ駆動アーム部１２ｃにより上方に押し上げられる力に支えられて停止する。
【００２１】
上述したように、ミラーアップレバー１２と緩衝部材１７とは、別の部材としてカメラボディ１に位置決め固定されている。このため、ミラーアップレバー１２と緩衝部材１７とは固体毎に位置にバラつきが生じる。このため、可動ミラー保持枠１１の退避位置は固定毎に異なることになる。このように可動ミラー保持枠１１の退避位置が固定毎に異なると、ミラーアップ時における可動ミラー保持枠１１の回動角度にバラつきが生じ、可動ミラー保持枠１１の先端部１１ａが緩衝部材１７と接触する際の衝撃力にもバラつきが生じることになる。このような衝撃力のバラつきが音のバラつきとなり、音の大きな固体と小さな固体とが生まれることになる。
【００２２】
本実施形態の可動ミラー保持機構１０では、ミラー駆動ピン１４を回動させることにより、音のバラつきを調整することができる。すなわち、図３に示すミラー駆動ピン１４の位置を初期位置とすると、この初期位置からミラー駆動ピン１４を矢印Ａ方向（時計回り）に回動させると、ミラー駆動ピン１４とミラーアップ駆動アーム部１２ｃとが当接する互いの位置が近づく（可動ミラー軸１３とレバー軸１６との位置関係は固定されている）ため、ミラーアップ位置において、可動ミラー保持枠１１の先端部１１ａは、初期位置よりも矢印Ａ´方向に移動することになる。このため、ミラーアップ時に可動ミラー保持枠１１の先端部１１ａと緩衝部材１７との接触量は大きくなる。
【００２３】
一方、図３に示す初期位置からミラー駆動ピン１４を矢印Ｂ方向（反時計回り）に回動させると、ミラー駆動ピン１４とミラーアップ駆動アーム部１２ｃとが当接する互いの位置が離れるため、ミラーアップ位置において、可動ミラー保持枠１１の先端部１１ａは、初期位置よりも矢印Ｂ´方向に移動することになる。このため、ミラーアップ時に可動ミラー保持枠１１の先端部１１ａと緩衝部材１７との接触量は小さくなる。
【００２４】
このように、ミラー駆動ピン１４を矢印Ａ方向または矢印Ｂ方向に回動させることにより、可動ミラー保持枠１１の先端部１１ａと緩衝部材１７との接触量を調整することができる。可動ミラー保持枠１１の先端部１１ａと緩衝部材１７との接触量が大きくなると、可動ミラー保持枠１１の先端部１１ａが緩衝部材１７に衝突する際の衝撃力は大きくなる。また、可動ミラー保持枠１１の先端部１１ａと緩衝部材１７との接触量が小さくなると、可動ミラー保持枠１１の先端部１１ａが緩衝部材１７に衝突する際の衝撃力は小さくなる。
【００２５】
したがって、可動ミラー４をミラーダウン位置からミラーアップ位置に跳ね上げたときに、作動音が所定の範囲内となるようにミラー駆動ピン１４を回動することにより、ほぼ同じ作動音となるように調整することができるため、固体毎の作動音のバラつきを少なくすることができる。また、作動音が最も小さくなるようにミラー駆動ピン１４を回動することにより、固体毎に最小の作動音となるように調整することもできる。
【００２６】
上述した実施形態によれば、以下の効果を奏する。
（１）可動ミラー保持枠１１の退避位置が固体毎に異なっていても、ミラー駆動ピン１４を回動することにより、ほぼ同じ作動音となるように調整できるため、固体ごとの作動音のバラつきを少なくすることができる。
（２）エアダンパなどの高価な専用部品が不要となり、また、構成を複雑にすることもないため、コストアップやスペースの増大を招くことがない。
（３）エアダンパなどを用いた緩衝装置に比べて、可動ミラー４を所定位置に迅速且つ正確に停止させることができるため、高速連写にも対応することができ、また撮影時に像消失時間も短くすることができる。
（変形形態）
【００２７】
以上説明した実施形態に限定されることなく、本発明は以下に示すような種々の変形や変更が可能であり、それらも本発明の範囲内である。
【００２８】
上記実施形態では、ミラー駆動ピン１４として偏芯ピンを用いた例について示したが、ピン本体部に対してピン固定部を同芯に設けたミラー駆動ピンを用いることもできる。この場合は、ピン本体部の外径が異なる複数のミラー駆動ピンを用意しておき、これらの中から一つを選択して可動ミラー保持枠１１に仮固定し、可動ミラー４を動作させる。この作業を繰り返し行い、作動音が所定の範囲内となるミラー駆動ピンを可動ミラー保持枠１１にカシメ固定すればよい。
【００２９】
上記実施形態及び変形形態は適宜に組み合わせて用いることができるが、各実施形態の構成は図示と説明により明らかであるため、詳細な説明を省略する。さらに、本発明は以上説明した実施形態によって限定されることはない。
【符号の説明】
【００３０】
１：カメラボディ、３：ミラーボックス、４：可動ミラー、１０：可動ミラー保持機構、１１：可動ミラー保持枠、１２：ミラーアップレバー、１２ａ：ミラーアップ係止アーム部、１２ｂ：ミラーアップバネ係止アーム部、１２ｃ：ミラーアップ駆動アーム部、１２ｄ：バネ係止軸、１３：可動ミラー軸、１４：ミラー駆動ピン、１４ａ：ピン本体部、１４ｂ：ピン固定部、１５：ミラーアップバネ、１６：レバー軸、１７：緩衝部材
【図１】
0005458831.tif 000002
【図２】
0005458831.tif 000003
【図３】
0005458831.tif 000004